(57)【要約】【課題】渇水期であっても魚等の水生生物が生き残れ、また増水・渇水期にかかわらず河岸に設置された場合には魚巣空間を確保できる沈床を提供する。【解決手段】複数の石１４が河岸または河床に設置されて成る沈床において、上下方向に延びる複数本の柱材１１と、各柱材１１を連結するように横方向に延びて各柱材１１に取り付けられた横材１２とから構成された複数の単位構造物１０が、互いの横材１２同士が接触するように石１４の仕切として配置され、横材１２が接触するようにして配置された部位が魚道または魚巣１６として設けられている。【選択図】        図２
2004346704.tif 000002
【特許請求の範囲】
【請求項１】
複数の石が河岸または河床に設置されて成る沈床において、
上下方向に延びる複数本の柱材と、該各柱材を連結するように横方向に延びて各柱材に取り付けられた横材とから構成された複数の単位構造物が、互いの横材同士が接触するように前記石の仕切として配置され、
該横材が接触するようにして配置された部位が魚道または魚巣として設けられていることを特徴とする沈床。
【請求項２】
前記横材は、少なくともいずれか一の単位構造物において、
横方向に２本以上接続されている部位を有することを特徴とする請求項１記載の沈床。
【請求項３】
前記横材は、所定間隔をあけて上下方向に複数設けられていることを特徴とする請求項１または請求項２項記載の沈床。
【請求項４】
前記石の上面は、前記横材の上面よりも上方に位置するように配置されることを特徴とする請求項１〜請求項３のうちいずれか１項記載の沈床。
【請求項５】
前記柱材および横材は木製であることを特徴とする請求項１〜請求項４のうちのいずれか１項記載の沈床。
【請求項６】
内部に複数の石を配置し、河岸または河床に設置される沈床において、
上下方向に延びる複数本の柱材と、該各柱材を連結するように横方向に延びて各柱材に取り付けられた横材とから構成され、内部に石を収納可能な平面視多角形状の収納部が形成され、各柱材は形成された収納部の多角形の各頂点の内側に内接するように配置された枠体が複数設けられ、
各枠体の収納部内には石が収納され、
該複数の枠体の横材同士が接触するように配置され、
該横材が接触するようにして配置された部位が魚道または魚巣として設けられていることを特徴とする沈床。
【請求項７】
前記横材は、少なくともいずれか一の枠体において、横方向に２本以上接続されている部位を有することを特徴とする請求項６記載の沈床。
【請求項８】
前記横材は、所定間隔をあけて上下方向に複数設けられていることを特徴とする請求項６または請求項７記載の沈床。
【請求項９】
前記石の上面は、前記横材の上面よりも上方に位置するように配置されることを特徴とする請求項６〜請求項８のうちのいずれか１項記載の沈床。
【請求項１０】
前記柱材および横材は木製であることを特徴とする請求項６〜請求項９のうちのいずれか１項記載の沈床。
【発明の詳細な説明】
【０００１】
【発明の属する技術分野】
本発明は、河川の河岸または河床を保護するための沈床に関する。
【０００２】
【従来の技術】
河川の洗掘を防止するために、河川の河岸または河床に沈床を設置し河川を保護する工法が従来から知られている。
かつては、石積みやコンクリートブロックによる沈床が設置されることも多かったが、これでは景観が悪く、また水辺の生物も生存しづらい環境となっていた。
そこで、近年は水辺の生物や景観を保護し、自然環境にやさしい沈床として木製の沈床が用いられることが多い。
【０００３】
木製の沈床としては、丸太材を井桁状に組み、この中に玉石等の石をいれて用いるものが現在一般的に用いられているものである（例えば特許文献１、特許文献２参照）。
従来の沈床の例を図１０に示す。
沈床は、丸太１を井桁状に組んで複数の枠２を設け、この枠２内部に玉石等の石４が配置される。
【０００４】
【特許文献１】
特開２０００−２８２４３７号公報
【特許文献２】
特開２００１−４０６３６号公報
【０００５】
【発明が解決しようとする課題】
しかし、従来の沈床では増水期には沈床の上方に水が存在していても、渇水期になると石の間にしか水が存在しなくなることもありうる。
かかる場合、従来のような沈床では、小さい魚であれば石と石の間の隙間で生存可能ではあるが、石と石の隙間よりも大きい魚が通れるような隙間が全く無いので大きい魚が生存できない。
また従来の沈床では、増水期や渇水期にかかわらず、魚等の水生生物の生活空間である魚巣となる住みかもなかった。
このように、従来の沈床においては、いくら自然環境にやさしい木製の沈床とした場合であっても、水生生物を確実に保護するには至っていないという課題があった。
【０００６】
そこで、本発明は上記課題を解決すべくなされ、その目的とするところは、渇水期であっても魚等の水生生物が生き残ることができ、また増水・渇水期にかかわらず河岸に設置した場合には魚巣（魚の住む場所）とすることができる沈床を提供することにある。
【０００７】
【課題を解決するための手段】
本発明は、上記目的を達成するために次の構成を備える。
すなわち、本発明にかかる沈床によれば、複数の石が河岸または河床に設置されて成る沈床において、上下方向に延びる複数本の柱材と、該各柱材を連結するように横方向に延びて各柱材に取り付けられた横材とから構成された複数の単位構造物が、互いの横材同士が接触するように前記石の仕切として配置され、該横材が接触するようにして配置された部位が魚道または魚巣として設けられていることを特徴としている。
この構成を採用することによって、隣り合う単位構造物の横材同士が接触するように配置され、隣り合う単位構造物との間に、少なくとも横材２本分の隙間ができる。この隙間には石が配置されていないので魚道または魚巣として機能することができる。すなわち、渇水期になっても魚が生存することができ、また増水・渇水期にかかわらず河岸に設置した場合には魚巣とすることができる。
【０００８】
また、前記横材は、少なくともいずれか一の単位構造物において、横方向に２本以上接続されている部位を有することを特徴としてもよい。
このようにすれば、隣り合う単位構造物との間の隙間が更に広くとれることとなるので、魚の生息がさらに確実なものとなる。
【０００９】
さらに、前記横材は、所定間隔をあけて上下方向に複数設けられていることとすれば、単位構造物の強度維持を図ることができる。
【００１０】
また前記石の上面は、前記横材の上面よりも上方に位置するように配置されることを特徴としている。
この構成によれば、水は、石の上面から横材に流れ落ちていくので、隙間部分に確実に水をためやすく、さらに魚の生存や移動を容易にすることができる。
【００１１】
また、前記柱材および横材は木製であることを特徴とすることによれば、間伐材等を利用することができ、また破損等しても自然環境にやさしい沈床を提供することができる。
【００１２】
本発明にかかる沈床によれば、内部に複数の石を配置し、河岸または河床に設置される沈床において、上下方向に延びる複数本の柱材と、該各柱材を連結するように横方向に延びて各柱材に取り付けられた横材とから構成され、内部に石を収納可能な平面視多角形状の収納部が形成され、各柱材は形成された収納部の多角形の各頂点の内側に内接するように配置された枠体が複数設けられ、各枠体の収納部内には石が収納され、該複数の枠体の横材同士が接触するように配置され、該横材が接触するようにして配置された部位が魚道または魚巣として設けられていることを特徴としている。
この構成を採用することによって、枠体を並べて配置するだけで、隣接する枠体との間に横材が配置される分隙間が空くので、この隙間を魚道または魚巣として用いることができる。すなわち、渇水期になっても魚が生存することができ、また増水・渇水期にかかわらず河岸に設置した場合には魚巣とすることができる。
【００１３】
また、前記横材は、少なくともいずれか一の枠体において、横方向に２本以上接続されている部位を有するようにしてもよい。
この構成によれば、隣り合う枠体との間の隙間が更に広くとれることとなるので、魚の生息がさらに確実なものとなる。
【００１４】
さらに、前記横材は、所定間隔をあけて上下方向に複数設けられていることを特徴とすれば、枠体の強度維持をさらに図ることができる。
【００１５】
また、前記石の上面は、前記横材の上面よりも上方に位置するように配置されることを特徴としてもよい。
この構成によれば、水は、石の上面から横材に流れ落ちていくので、隙間部分に確実に水をためやすく、さらに魚の生存や移動を容易にすることができる。
【００１６】
また、前記柱材および横材は木製であることを特徴とすることによれば、間伐材等を利用することができ、また破損等しても自然環境にやさしい沈床を提供することができる。
【００１７】
【発明の実施の形態】
以下、本発明にかかる好適な実施の形態を添付図面と共に詳細に説明する。
（第１の実施形態）
図１は、第１の実施形態の沈床における単位構造物の斜視図を、図２は沈床の正面図を、図３は沈床の平面図を示す。
第１の実施形態による沈床は、単位構造物１０が複数個設置されることで構成される。
単位構造物１０は、木製の２本の柱材１１，１１と、木製の２本の横材１２，１２とから構成されている。柱材１１と横材１２とはボルトおよびナット（図示せず）によって取り付けるとよい。
柱材１１および横材１２の形状としては、断面が円形に形成されているいわゆる丸太を用いると好適である。丸太としてはカラマツ等の間伐材を用いることができる。
【００１８】
単位構造物１０ａ，１０ｂは、横材１２同士が接触するようにして２個が１組となって配置される。これら単位構造物１０ａ，１０ｂの横材１２が設けられていない側、隣接して単位構造物が設けられていない側には、石１４が配置される。すなわち、複数個の石の仕切として単位構造物１０が設置される。
本実施形態では、石１４を配置した部分と対向する位置にも単位構造物１０ｃが配置される。このように、単位構造物１０ｃと、単位構造物１０ａまたは単位構造物１０ｂとの間で石１４を保持し、図２と図３における幅方向には石を崩れさせないようにすることができる。
【００１９】
なお、図２と図３では、石１４を配置した部分を２個の単位構造物で保持するもののみを記載しているが、石１４の周囲を全て単位構造物１０で囲んで構成すれば、石１４が紙面に垂直な方向にも崩れないので、さらに好適である。
【００２０】
単位構造物１０ａ，１０ｂを、横材１２同士を接触させるようにして配置させたので、横材１２の２本分の長さ分だけ石１４が配置されない部位ができる。これが魚道１６（魚巣としての役割も有するが、以下、魚道として説明する）となる。
魚道１６は、渇水期において石１４の上面よりも水面が下降した場合であっても、石１４が設けられていないので魚類等が十分生息可能となる。
なお、図２，図３の実施形態では、横材１２は各単位構造物１０において、上下方向に４本設けられているものであるので、魚道１６としては複数本の横材１２の間に３本形成されることとなる。しかし、渇水期における水面が石１４の上面のわずか下方であれば、最上部の横材１２の上方の空間１７も魚道となりうるし、また渇水期における水面が最下部の横材１２程度にまで下がっていれば、最下部の横材１２よりも下方の空間１９も魚道となりうる。
【００２１】
石１４は、その上面Ａが、最も上方に設けられている横材１２の上面Ｂよりも上方に配置されるような高さに詰み上げるとよい。
石１４の高さをそのような高さに設定することによって、渇水期には、石１４の上面に溜まっている水を横材１２が設けられている側に流し込むことができ、魚道１６に水を確保して少ない水を有効に利用することができる。
【００２２】
なお、単位構造物１０における横材１２の数は、上述したような本数に限定されることはない。すなわち、横材１２の本数は１本であってもよいし、４本以上であってもよい。
【００２３】
さらに、図４および図５に示すように、１つの単位構造物１０において、横材１２を横方向に複数本連結して、魚道１６の幅を広げるようにしてもよい。
図４では、右側に位置している単位構造物１０ａが、横材１２ａを横方向に２本連結した構成にしている。このように横材が２本横方向に連結された構成の単位構造物１０ａと、横材１２ｂが横方向には１本しか設けられていない単位構造物１０ｂとを互いの横材同士を接触させるようにして配置することによって、魚道１６は横材３本分の横幅を有するようになり、魚道を広く確保することができる。
【００２４】
また、図５では、右側に位置している単位構造物１０ａが、横材１２ａを横方向に２本連結した部分と、横材１２ａを１本だけ設けた部分とを上下方向に、交互に配置するようにしている。
この単位構造物１０ａと、横材１２ｂが横方向には１本しか設けられていない単位構造物１０ｂとを互いの横材同士を接触させるようにして配置することによって、魚道１６の上方または下方には、横材１本分の隙間２１が生じる。この隙間２１が存在することで、魚道１６が部分的に上下方向にも広がることとなる。
このように、横材が横方向に複数本連結されている場合でも、その本数を上下に配置された横材とで変えることによって、魚道１６の上下方向の幅も部分的に広がり、魚類の生活環境の向上に寄与することができる。
【００２５】
（第２の実施形態）
次に、柱材と横材とを組み合わせた単位構造物ではなく、柱材と横材とを組み合わせた枠体で魚道の確保ができる沈床について、図６〜図８に基づいて説明する。
枠体３０は、平面視すると多角形状に形成されているものであるが、ここで示す例では平面視正方形に形成されている。
枠体内部には石１４が配置される。
【００２６】
枠体３０は、正方形の頂点にあたる位置に、上下方向に向かう４本の柱材３１，３１・・と、各柱材３１を連結するように横方向に配置された横材３２，３２・・とから構成されている。
横材３２は、各柱材３１を連結すべく上下方向にも複数本設けられている。
なお、柱材３１と横材３２とは、径が同じ丸太を用いると材料が標準化されるので便利であるが、特に同じ径の丸太を用いることには限定されない。
【００２７】
次に、柱材３１と横材３２との取付方法について説明する。
柱材３１と横枠３２とは、枠体が形成する正方形の各頂点において、ボルト３３とナット３４によって取付られる。
各頂点においては、２本の横材３２と、該２本の横材３２に内接するように配置された柱材３１とを貫通するように、各横材３２と柱材３１に取付穴３５が形成され、この取付穴３５内にボルト３３が挿入されて、３本の丸太が一体に取り付けられるのである。
【００２８】
なお、取付穴３５は、横材の軸線方向に対して４５度の角度となるように穿設される。このように正方形である横枠に、４５度という角度でボルト３３が挿入される取付穴３５を形成したことで、柱材３１の直径を通り且つボルトの長さを最も短かくして取付けが可能であり、強固な取付けができる。
また柱材３１と横材３２との取り付け方法をこのように４５度等の角度を付けたことにより、取付穴３５の横材３２の端部３２ａからの距離ｘを従来よりも大きく取ることができる。
このため、端部３２ａからの割れや亀裂等が取付穴３５に向かって延びて取付穴３５を破損してしまうようなことを防止できる。また、枠体３０の解体方向に対する方向にボルト３３が取り付けられるので、たとえナット３４が外れてしまったような場合でも、ボルト３３は抵抗によって抜けないように設けられている。
【００２９】
また、最も下方に位置する横材３２の上面には、複数本の底材３６が配置される。この複数本の底材３６が枠体３０内に底面を形成する。底材３６は、設置されている横材３２にかすがい等の金具（図示せず）によって取り付けられる。
底材３６を設け、この底材３６の上面に石１４が積み重ねられるので、枠体３０に石１４の重量がかかり、枠体３０をこの重量によって所定の位置に設置することができる。
【００３０】
沈床は、このような構造を有する枠体３０を複数個用いて構成される。形成した沈床には、隣り合う枠体３０の横材３２同士が接触することによって隙間が形成される。この隙間には、石１４が設けられていないので、魚が生存可能な通路である魚道１６が形成される。
【００３１】
また、図８に示すように、枠体３０を複数個配置することによって、各隙間は連結して魚道１６がマス目状に形成されることとなる。
このような構成を採用することで、単に枠体３０を河床に配置していくだけで魚道を形成することができ、また河岸に設置した場合には増水・渇水期にかかわらず魚巣空間を形成できる。
【００３２】
また、図９に示すように、横材３２の本数は、各枠体３２においてで１本づつであることに限定されることはなく、横方向に２本の横材３２を連結したものであってもよい。
本図では、右側に位置している枠体３０ａが、少なくとも枠体３０ｂに隣接する側の横材３２ａを横方向に２本連結した構成にしている。このように横材が２本横方向に連結された構成の枠体３０ａと、横材３２ｂが横方向には１本しか設けられていない枠体３０ｂとを互いの横材同士を接触させるようにして配置することによって、魚道１６は横材３本分の横幅を有するようになり、魚道を広く確保することができる。
また、枠体３０ａとしては、枠体３０ｂと隣接していない側を横材３２ａを横方向に２本連結した構成にしてもよいが、２本以上の横材を連結することは、広い魚道の確保以外には作用がないので、隣接する枠体が無い箇所は特に横材３２ａを横方向に２本連結した構成にしなくともよい。
【００３３】
さらに、図５に示したような構造を枠体３０に採用してもよい（図示せず）。
この構成によれば、枠体において、横材を横方向に２本連結した部分と、横材を１本だけ設けた部分とを上下方向に、交互に配置するようにしている。
この枠体と、横材が横方向には１本しか設けられていない枠体とを互いの横材同士を接触させるようにして配置することによって、魚道の上方または下方には、横材１本分の隙間が生じる。この隙間が存在することで、魚道が部分的に上下方向にも広がることとなる。
【００３４】
なお、本実施形態の枠体３０であっても、石１４は、その上面Ａが、最も上方に設けられている横材３２の上面Ｂよりも上方に配置されるような高さに詰み上げるとよい（図９参照）。
石１４の高さをそのような高さに設定することによって、渇水期には、石１４の上面に溜まっている水を横材３２が設けられている側に流し込むことができ、魚道１６に水を確保して少ない水を有効に利用することができる。
【００３５】
なお、上述してきた第１の実施形態の沈床および第２の実施形態の沈床においては、横材および柱材として木製の丸太を用いた場合についてのみ説明したが、コンクリート等の他の材質を用いても良い。また、形状は、角材やタイコ材を用いてもよい。さらに、丸太を用いる場合であっても、横材と柱材とで異なる径のものを用いても良い。
【００３６】
以上、本発明につき好適な実施形態を挙げて種々説明したが、本発明はこの実施形態に限定されるものではなく、発明の精神を逸脱しない範囲内で多くの改変を施し得るのはもちろんである。
【００３７】
【発明の効果】
本発明によれば、隣り合う単位構造物の横材または枠体の横材同士が接触するように配置されるので、隣り合う単位構造物または枠体との間に、隙間ができる。この隙間が魚道として機能することにより、渇水期になっても魚が生存することができる。また、河岸に設置すれば増水・渇水期にかかわらず前記隙間が魚巣として機能する。
【図面の簡単な説明】
【図１】本発明に係る沈床を構成する単位構造物を２個配置した所を示す斜視図である。
【図２】本発明に係る沈床の第１の実施形態の正面図である。
【図３】図２に示した沈床の平面図である。
【図４】横材の配置についての他の形態を示す説明図である。
【図５】横材の配置についての他の形態を示す説明図である。
【図６】本発明に係る沈床を構成する枠体を２個配置した所を示す平面図である。
【図７】本発明に係る沈床の第２の実施形態の正面図である。
【図８】枠体を複数個配置した場合の沈床の平面図である。
【図９】横材の配置についての他の形態の沈床の正面図である。
【図１０】従来の沈床について説明する平面図である。
【符号の説明】
１０    単位構造物
１１    柱材
１２    横材
１４    石
１６    魚道（魚巣）
１７，１９    空間
２１    隙間
３０    枠体
３１    柱材
３２    横材
３３    ボルト
３４    ナット
３５    取付穴
３６  底材
【図１】
2004346704.tif 000003
【図２】
2004346704.tif 000004
【図３】
2004346704.tif 000005
【図４】
2004346704.tif 000006
【図５】
2004346704.tif 000007
【図６】
2004346704.tif 000008
【図７】
2004346704.tif 000009
【図８】
2004346704.tif 000010
【図９】
2004346704.tif 000011
【図１０】
2004346704.tif 000012